【手続補正書】
【提出日】平成25年2月13日(2013.2.13)
【手続補正１】
【補正対象書類名】明細書
【補正対象項目名】発明の名称
【補正方法】変更
【補正の内容】
【発明の名称】シャフト連結アセンブリ、コレットおよび回転制御弁
【手続補正２】
【補正対象書類名】明細書
【補正対象項目名】０００１
【補正方法】変更
【補正の内容】
【０００１】
本開示は、概して、回転弁に使用するためのシャフト連結アセンブリ、矩形のシャフトに使用するためのコレットおよび回転制御弁に関する。
【手続補正３】
【補正対象書類名】明細書
【補正対象項目名】０００６
【補正方法】変更
【補正の内容】
【０００６】
別の例では、矩形のシャフトに使用するためのコレットは、複数の可撓性部材を含み、その可撓性部材は、細長部材に連結されるように構成されると共に、それぞれが、矩形のシャフトを受けるように構成された実質的に矩形の内腔の少なくとも一部分を形成する内面を有するように構成されている。複数の可撓性部材は、レバーの開口部のインボリュート形の内面に係合するためのインボリュート形の外面を形成する。少なくとも一つの可撓性部材の角での材料の寸法が角の間での材料の寸法よりも厚くされている。レバーの開口部は、複数の可撓性部材を細長部材の軸に向かって変位させて、複数の可撓性部材それぞれの内面を矩形のシャフトの１つまたは複数の面に係合させるように構成されている。
【手続補正４】
【補正対象書類名】明細書
【補正対象項目名】０００７
【補正方法】変更
【補正の内容】
【０００７】
さらに別の例では、回転制御弁が、ハウジングに取り付けられシャフトを有する弁を含む。アクチュエータが、その弁に動作可能に連結され、ハウジング内に配置される。コレットが、複数の可撓性部材の外面がインボリュート形の外面を形成し、少なくとも一つの可撓性部材の角での材料の寸法が角の間での材料の寸法よりも厚くされており、複数の可撓性部材の内面がシャフトを受ける第１の開口部を形成するように、細長部材と一体に形成された複数の可撓性部材を有する。アクチュエータに動作可能に連結されたレバーが、コレットの細長部材を受ける第２の開口部と、複数の可撓性部材の外面によって画定されたインボリュート形の外面に係合するように先細りしたインボリュート形の面を有する第３の開口部とを有する。
【手続補正５】
【補正対象書類名】明細書
【補正対象項目名】００１６
【補正方法】変更
【補正の内容】
【００１６】
図１Ｂに示すように、レバー１２０の第１の端部１３６は第１のスリーブ１３８を設け、その第１のスリーブ１３８は、連結アセンブリ１０２を形成するように一例のコレット１２２を受けるか、またはそれに係合するように構成される。同様にして、レバー１２０の第２の端部１４０が第２のスリーブ１４２を設け、その第２のスリーブ１４２を通して一例のコレット１２２を挿入して、第２の連結部１４４を形成することができる。第１のスリーブ１３８または第２のスリーブ１４２が一例のコレット１２２に係合するように、一例のコレット１２２をレバー１２０中に引き込むことができる。以下により詳細に説明するように、レバー１２０はワッシャ１４６に係合し、コレット１２２が弁シャフト１３２にクランプ力を加えるように、締め具１４８がコレット１２２をレバー１２０内に引き込む。
【手続補正６】
【補正対象書類名】明細書
【補正対象項目名】００３１
【補正方法】変更
【補正の内容】
【００３１】
レバー１２０、一例のコレット１２２および３００、ならびにスリーブ１３８または締め付け構成要素は、例示的な描写であり、シャフトと直接係合し、コレットと、シャフトと、レバーとの間の空転が最小または実質的にゼロになるように構成された、任意の適切なレバー、シャフトクランプ、および締め付け構成要素によって実施することができる。
【手続補正７】
【補正対象書類名】特許請求の範囲
【補正対象項目名】全文
【補正方法】変更
【補正の内容】
【特許請求の範囲】
【請求項１】
回転弁に使用するためのシャフト連結アセンブリであって、
第１の端部および第２の端部を有する細長部材であって、前記第１の端部が、インボリュート形の外面と、矩形のシャフトを受けるように構成された第１の開口部とを有する連結部分を含み、前記連結部分が、少なくとも１つの可撓性部材を含み、前記可撓性部材が、前記第１の開口部を少なくとも部分的に画定する第１の面と、前記インボリュート形の外面を少なくとも部分的に画定する第２の面とを有する、細長部材と、
前記細長部材を受ける第２の開口部と、前記連結部分のインボリュート形の外面を受けるように構成されたインボリュート形の半径を有する第３の開口部とを有するスリーブと
を備えるシャフト連結アセンブリ。
【請求項２】
前記少なくとも１つの可撓性部材が、角で材料の寸法が厚い、請求項１に記載のシャフト連結アセンブリ。
【請求項３】
前記スリーブが、レバーと一体に形成され、前記レバーが、アクチュエータに回転可能に連結されるように構成される、請求項２に記載のシャフト連結アセンブリ。
【請求項４】
複数の可撓性部材をさらに備え、前記複数の可撓性部材および前記少なくとも１つの可撓性部材が、前記矩形のシャフトを受けるように構成された前記第１の開口部を画定する、請求項３に記載のシャフト連結アセンブリ。
【請求項５】
前記少なくとも１つの可撓性部材の第１の面に対向する第３の面を有する少なくとも別の可撓性部材をさらに備え、前記少なくとも１つの可撓性部材および前記少なくとも別の可撓性部材が、それらの間に前記矩形のシャフトを受容するように構成され、前記インボリュート形の外面が前記第３の開口部に係合しているときに互いに向かって変位するように構成される、請求項４に記載のシャフト連結アセンブリ。
【請求項６】
前記連結部分の外面が、前記細長部材の第２の端部に向かって先細りする、請求項１ないし５のいずれか１項に記載のシャフト連結アセンブリ。
【請求項７】
前記第３の開口部のインボリュート形の面が前記第２の開口部に向かって先細りする、請求項１ないし６のいずれか１項に記載のシャフト連結アセンブリ。
【請求項８】
前記第３の開口部の先細りした面により、前記少なくとも１つの可撓性部材が、前記細長部材の軸に向かって変位して、前記少なくとも１つの可撓性部材の内面が、前記矩形のシャフトの１つまたは複数の面に係合する、請求項７に記載のシャフト連結アセンブリ。
【請求項９】
前記細長部材の第２の端部が、前記細長部材を前記スリーブに連結する、請求項１ないし８のいずれか１項に記載のシャフト連結アセンブリ。
【請求項１０】
前記細長部材の第２の端部が、ナットまたはボルトのうちの少なくとも一方に係合するように構成される、請求項９に記載のシャフト連結アセンブリ。
【請求項１１】
矩形のシャフトに使用するためのコレットであって、
細長部材に連結されるように構成されると共に、それぞれが、前記矩形のシャフトを受けるように構成された実質的に矩形の内腔の少なくとも一部分を形成する内面を有するように構成される、複数の可撓性部材を備え、
前記複数の可撓性部材が、レバーの開口部のインボリュート形の内面に係合するためのインボリュート形の外面を形成し、少なくとも一つの可撓性部材の角での材料の寸法が角の間での材料の寸法よりも厚くされており、前記レバーの開口部が、前記複数の可撓性部材を前記細長部材の軸に向かって変位させて、前記複数の可撓性部材のそれぞれの内面を前記矩形のシャフトの１つまたは複数の面に係合させるように構成されるコレット。
【請求項１２】
前記複数の可撓性部材が、前記複数の可撓性部材の内面が前記矩形のシャフトに係合するときに、前記矩形のシャフトにクランプ力を加える、請求項１１に記載のコレット。
【請求項１３】
前記レバーがアクチュエータに関連付けられている、請求項１２に記載のコレット。
【請求項１４】
前記細長部材が、前記複数の可撓性部材と一体に形成される、請求項１３に記載のコレット。
【請求項１５】
前記細長部材が、ナットまたはボルトのうちの少なくとも一方に係合するように構成された螺刻部分を含む、請求項１４に記載のコレット。
【請求項１６】
ハウジングに取り付けられ、シャフトを有する、弁と、
前記弁に動作可能に連結され、前記ハウジング内に配置される、アクチュエータと、
細長部材と一体に形成された複数の可撓性部材を有するコレットであって、前記複数の可撓性部材の外面が、インボリュート形の外面を形成し、少なくとも一つの可撓性部材の角での材料の寸法が角の間での材料の寸法よりも厚くされており、前記複数の可撓性部材の内面が、前記シャフトを受ける第１の開口部を形成する、コレットと、
前記コレットの細長部材を受ける第２の開口部と、前記複数の可撓性部材の外面によって画定された前記インボリュート形の外面に係合するように先細りしたインボリュート形の面を有する第３の開口部とを有する、前記アクチュエータに動作可能に連結されたレバーと
を備える回転制御弁。
【請求項１７】
前記複数の可撓性部材が、前記第３の開口部内で摺動するように構成され、前記第３の開口部の先細りした面が、前記複数の内面が前記矩形のシャフトに係合するように、前記複数の可撓性部材の外面に係合する、請求項１６に記載の回転制御弁。
【請求項１８】
前記複数の可撓性部材の外面が先細りしている、請求項１７に記載の回転制御弁。
【請求項１９】
前記細長部材が、前記コレットを前記レバーに連結するために、前記第２の開口部を通って延在し、ナットまたはボルトのうちの少なくとも一方に係合するように構成された、螺刻された端部を含む、請求項１６に記載の回転制御弁。
【請求項２０】
前記シャフトおよび前記第１の開口部が実質的に矩形である、請求項１６に記載の回転制御弁。
【請求項２１】
前記アクチュエータが、電気式アクチュエータ、空気圧式アクチュエータ、油圧式アクチュエータ、または手動式のアクチュエータのうちの１つである、請求項１６に記載の回転制御弁。